(57)【要約】  本発明は制御ユニット（ＣＮＲＴ）及び処理ユニット（ＨＵ）を含むインフォテインメントシステム（Ｓ）に関する。処理ユニット（ＨＵ）及び制御ユニット（ＣＮＲＴ）はデータ接続部（ＣＨＴ）を用いて互いに連結されている。処理ユニット（ＨＵ）は、好ましくは、第１のデータフォーマットで準備された予め設定されたインフォテインメントデータを少なくとも部分的に第２の非圧縮のデータフォーマットに変換するように形成されている。処理ユニット（ＨＵ）は更に、変換された第２の非圧縮のデータフォーマットのインフォテインメントデータをデータ接続部（ＣＨＴ）を用いて制御ユニット（ＣＮＲＴ）が利用可能なように形成されている。制御ユニット（ＣＮＲＴ）は、第２の非圧縮のデータフォーマットのインフォテインメントデータを受信し、これを、第２の予め設定されたデータフォーマットで準備された、予め設定された別のインフォテインメントデータと統合し、統合されたデータを少なくとも部分的に、制御ユニット（ＣＴＲＬ）に割り当てられた少なくとも１つの再生ユニット（ＤＳＰ１）での再生のために準備するように、形成されている。
2014504230.tif 000002
【特許請求の範囲】
【請求項１】
制御ユニット（ＣＮＲＴ）及び処理ユニット（ＨＵ）を含むインフォテインメントシステム（Ｓ）において、
−  処理ユニット（ＨＵ）及び制御ユニット（ＣＮＲＴ）がデータ接続部（ＣＮＴ）を用いて互いに連結されており、その際、予め設定された、第１のデータフォーマットで準備されたインフォテインメントデータを少なくとも部分的に第２の非圧縮のデータフォーマットに変換し、変換された第２の非圧縮のデータフォーマットのインフォテインメントデータをデータ接続部（ＣＮＴ）を用いて制御ユニット（ＣＮＲＴ）が利用可能であるように、処理ユニット（ＨＵ）が形成されていること、及び
−  第２の非圧縮のデータフォーマットのインフォテインメントデータを受信し、これを第２の予め設定されたデータフォーマットで準備された別の予め設定されたインフォテインメントデータと統合し、統合されたインフォテインメントデータを少なくとも部分的に少なくとも一つの制御ユニット（ＣＮＲＴ）に割り当てられた再生ユニット（ＤＰＳ１）での再生のために準備するように、制御ユニット（ＣＮＲＴ）が形成されていること
を特徴とするインフォテインメントシステム（Ｓ）
【請求項２】
請求項１に記載のインフォテインメントシステム（Ｓ）において、
処理ユニット（ＨＵ）及び制御ユニット（ＣＮＲＴ）が、それぞれ、互いに別々に配設された構成ユニットとして形成されていること、
を特徴とする、インフォテインメントシステム（Ｓ）。
【請求項３】
請求項１又は２に記載のインフォテインメントシステム（Ｓ）において、
処理ユニット（ＨＵ）に割り当てられた少なくとも一つの更なる再生ユニット（ＤＳＰ２）での再生のために、第２の非圧縮のデータフォーマットのインフォテインメントデータを、少なくとも部分的に準備するように、処理ユニット（ＨＵ）が形成されていること、
を特徴とする、インフォテインメントシステム（Ｓ）。
【請求項４】
請求項１から３のいずれか一項に記載のインフォテインメントシステム（Ｓ）において、
処理ユニット（ＨＵ）に予め設定され、第１のデータフォーマットで準備されたインフォテインメントデータが、アナログデータとして形成されていること、
を特徴とする、インフォテインメントシステム（Ｓ）。
【請求項５】
請求項１から４のいずれか一項に記載のインフォテインメントシステム（Ｓ）において、
予め設定されたインフォテインメントデータが、ビデオデータ及び／又はオーディオデータを含むこと、
を特徴とする、インフォテインメントシステム（Ｓ）。
【請求項６】
請求項１から５のいずれか一項に記載のインフォテインメントシステム（Ｓ）において、
処理ユニット（ＨＵ）及び制御ユニット（ＣＮＲＴ）が、データ接続部（ＣＮＴ）を用いて、第２の非圧縮のデータフォーマットのインフォテインメントデータに加え制御データを交換するように、形成されていること、
を特徴とする、インフォテインメントシステム（Ｓ）。
【発明の詳細な説明】
【技術分野】
【０００１】
本発明は、インフォテインメントシステム（情報及び娯楽の融合システム）に関する。
【背景技術】
【０００２】
インフォテインメントシステムは通常、車両において、例えば予め設定された（予め与えられた、プリセットされた）情報データをディスプレイに再生可能にするために、使用される。その際例えば、ディスプレイは、車両の中央コンソール又はインストルメントパネルに配設されており、インフォテインメントデータを再生するための情報システムを用いて制御される。
【先行技術文献】
【特許文献】
【０００３】
【特許文献１】ＵＳ４５７２８７８
【特許文献２】ＵＳ２０１０／００７３００５Ａ１
【発明の概要】
【発明が解決しようとする課題】
【０００４】
本発明の基礎にある課題は、インフォテインメントデータを出来る限り簡潔且つ安価に再生することが可能なインフォテインメントシステムを達成することである。
【課題を解決するための手段】
【０００５】
この課題は独立請求項の特徴によって解決される。本発明の有利な構成は、下位の請求項に示されている。
【０００６】
本発明は、制御ユニット及び処理ユニットを含むインフォテインメントシステムによって、特徴づけられる。制御ユニット及び処理ユニットは、データ接続部を用いて互いに接続されている。処理ユニットは以下のように形成されている、つまり、第１のデータフォーマットで準備された予め設定されたインフォテインメントデータを、少なくとも部分的に第２の非圧縮のデータフォーマットに変換し、また、変換された第２の非圧縮のデータフォーマットのインフォテインメントデータを、データ接続部を用いて、制御ユニットに自由に使用可能とするように、形成されている。制御ユニットは以下のように形成されている、つまり、第２の非圧縮のデータフォーマットのインフォテインメントデータを受信し、そして、受信されたインフォテインメントデータを、第２の予め設定されたデータフォーマットで準備された、予め設定された別のインフォテインメントデータと統合するように、形成されている。制御ユニットは、更に、統合されたインフォテインメントデータを、少なくとも部分的に、制御ユニットに割り当てられた少なくとも１つの再生ユニット上で再生するために準備するように、形成されている。
【０００７】
そのようなインフォテインメントシステムは、割り当てられた再生ユニットでインフォテインメントデータを再生するために、高性能な制御ユニットが必要とされない、という利点を有している。インフォテインメントデータは、処理ユニットによって既に、第２の非圧縮のデータフォーマットで準備される。第２の非圧縮のデータフォーマットのインフォテインメントデータは、好ましくは既に、再生ユニットを用いた再生に適している。従って、好ましくは、制御ユニット側では、インフォテインメントデータの解凍（展開）及び／又は処理を、省略することが出来る。従って、好ましくは、予め与えられたインフォテインメントデータの、第２の非圧縮のデータフォーマットへの変換又は転換を実行するように、処理ユニットが性能に応じて形成されていれば、十分である。そのため、車両内での高性能な制御デバイスに対する需要を低減することが出来る、それによって安価なインフォテインメントシステムを実現することが出来る。
【０００８】
処理ユニットは複数の別の制御ユニットに接続されていてもよい、また、別の制御ユニットに、第２の非圧縮のデータフォーマットのインフォテインメントデータを準備するように形成されていてもよい。その際、同一の又は異なる非圧縮のインフォテインメントデータを、個々の制御ユニットに用意することも出来る。
【０００９】
処理ユニット及び制御ユニットはそれぞれ、互いに別々に配設されたモジュールユニットとして形成されていてもよい。インフォテインメントシステムは、好ましくは車両内に配設されている。制御ユニット及び処理ユニットが、例えばそれぞれ制御デバイスとして形成されていてもよい、そして、それぞれ別々のモジュールユニットを形成する。その際、制御ユニット及び処理ユニットは別々に配設されていてもよい。
【００１０】
データ接続部は、処理ユニットと制御ユニットの間で、第２の非圧縮のデータフォーマットのインフォテインメントデータを、十分な伝送速度で、伝送するように、形成されているので、再生ユニットを用いての、適切な再生が可能となる。
【００１１】
予め与えられた別のインフォテインメントデータと受信されたインフォテインメントデータの統合とは、例えば、予め与えられた別のインフォテインメントデータを処理ユニットにより用意されたインフォテインメントデータへ追加すること、又はその逆、を含む。
【００１２】
有利な構成では、処理ユニットは、処理ユニット割り当てられた少なくとも１つの別の再生ユニットで再生するために、少なくとも部分的に、第２の非圧縮のデータフォーマットのインフォテインメントデータを準備するように、形成されている。これは、複数の再生ユニットでのインフォテインメントの再生を可能し、その際、複数の再生ユニットで再生されるインフォテインメントデータは、特には処理ユニットのみによって、適宜、第２の非圧縮のデータフォーマットに変換される。再生ユニットに用意されるインフォテインメントデータは、同一であってもよいし、異なっていてもよい。
【００１３】
更なる有利な構成では、第１のデータフォーマットで準備され、処理ユニットに予め設定されたインフォテインメントデータは、アナログデータとして形成されている。予め設定されたインフォテインメントデータは、例えばコンポジット映像信号（ＣＶＢＳ信号：Ｃｏｌｏｒ−Ｖｉｄｅｏ−Ｂｌａｎｋｉｎｇ−Ｓｙｎｃ．信号）として、用意することが出来る。処理ユニットを用いて変換されたインフォテインメントデータは、有利にはデジタルデータとして準備されている。処理ユニットに予め設定された、第１のデータフォーマットで準備されたインフォテインメントデータは、択一的に、非圧縮のデジタルデータとして、或いは、圧縮されたデジタルデータとして、形成されていることが出来る。
【００１４】
更なる有利な構成では、予め設定されたインフォテインメントデータは、ビデオデータ及び／又はオーディオデータを含む。好ましくは、予め設定されたインフォテインメントデータは、ビデオデータを含む。選択的に或いは追加的に、インフォテインメントデータはオーディオデータを含んでいてもよい。これは、格別に簡潔な方法で、ビデオデータ及び／又はオーディオデータを、インフォテインメントデータとして、制御ユニットに準備することを可能にする。その際、制御ユニットに割り当てられた再生ユニットは、好ましくは、モニター及び／又はスピーカーとして形成されている。例えば、制御ユニットの予め設定された別のインフォテインメントデータは、例えば、スピードメーターの表示及び／又はタコメーターの表示ような、車両の機器表示を代理することが出来る。受信されたインフォテインメントデータは、例えばナビゲーションアプリケーションの表示を代理することが出来る。制御ユニットを用いて、受信された第２の非圧縮のデータフォーマットのインフォテインメントデータは、共同表示のために、更に予め設定された別のインフォテインメントデータと統合される。この共同表示を、制御ユニットに割り当てられた再生ユニット上で、例えば車両のインストルメントパネル内のモニターを含む再生ユニット上で、組み込まれたナビゲーションアプリケーションを有する機器表示として、表示することが出来る。それにより、格別に簡潔に、異なるデータソースのインフォテインメントデータの混合表示を実現することが出来る。
【００１５】
更なる有利な構成では、処理ユニット及び制御ユニットは、データ接続部を用いて、第２の非圧縮のデータフォーマットのインフォテインメントデータに加えて、制御データを交換するように、形成されている。特には、データ接続部を用いて、両構成要素間で双方向的に制御データを伝達することが出来る。
【００１６】
本発明の実施例は、図面を用いて詳細に説明される。同一の構成又は機能の構成要素は、図面において包括的に同一の符号を有する。
【図面の簡単な説明】
【００１７】
【図１】表示システムを示す
【図２】再生例を示す
【発明を実施するための形態】
【００１８】
図１にはインフォテインメントシステムＳが図示されており、これは処理ユニットＨＵ及び制御ユニットＣＴＲＬを含んでいる。
【００１９】
インフォテインメントシステムＳは、好ましくは車両内に配設されており、そして、車両の乗客に例えばビデオデータ及び／または音響データを含むインフォテインメントデータを、予め与えられたユーザーインターフェースを用いて利用可能にするように形成されている。
【００２０】
処理ユニットＨＵは、例えばメイン制御ユニットとして形成されており、これはヘッドユニットとしても呼ばれ得るものである。処理ユニットＨＵは特には１つ又は複数のプロセッサ、例えばグラフィックプロセッサを含んでおり、それらは特にはインフォテインメントデータを処理するために形成されている。制御ユニットＣＴＲＬは例えば、処理ユニットＨＵとは分離した構成ユニットとして形成されており、それは例えば、車両のインストルメントパネルの制御装置である。その際、処理ユニットＨＵ及び制御ユニットＣＴＲＬは、例えば車両内で別々に配設されている。
【００２１】
制御ユニットＣＴＲＬは、第１の再生ユニットＤＳＰ１と接続されており、これは例えばモニター及び／またはスピーカーを含んでいる。第１の再生ユニットＤＳＰ１は、例えば、車両のダッシュボードのインストルメントパネルに割り当てられている。制御ユニットＣＴＲＬは、例えば、ヘッドアップディスプレイとも呼称され得る前方視界ディスプレイ（フロントビューディスプレイ）といった、更なる第１の再生ユニットＤＳＰ１に連結されていてもよい。制御ユニットＣＴＲＬと個々の再生ユニットＤＳＰ１の間の連結は、例えば、ＨＤＭＩインターフェース又はＤＶＩインターフェースといったデジタルマルチメディアインターフェースとして形成されている。基本的には、他のインターフェース、例えばアナログのインターフェースも利用可能である。
【００２２】
処理ユニットＨＵは、例えば車両の中央コンソール内の中央モニターといった少なくとも１つの第２の再生ユニットＤＳＰ２と連結されている。この連結は、好ましくは、制御ユニットＣＴＲＬと個々の第１の再生ユニットＤＳＰ１との間の連結に類似して形成されている。処理ユニットＨＵは、好ましくは、第１のデータフォーマットの予め設定されたインフォテインメントデータを、第２の非圧縮のデータフォーマットのインフォテインメントデータに変換するように、形成されている。それに関して、予め設定されたインフォテインメントデータを、例えばアナログ信号ＣＶＢＳ（ＦＢＡＳ）を用いて、入力側で準備することが出来る。このアナログ信号は、例えばＣｏｌｏｒ−Ｖｉｄｅｏ−Ｂｌａｎｋｉｎｇ−Ｓｙｎｃ．信号（Ｆａｒｂ−Ｂｉｌｄ−Ａｕｓｔａｓｔ−Ｓｙｎｃｈｒｏｎ−信号）として形成されている。予め設定されたインフォテインメントデータを、非圧縮データとして、或いは、圧縮データとして、択一的に準備することが出来る。また、処理ユニットＨＵは、少なくとも１つのメモリを含み得る、このメモリには予め設定されたインフォテインメントデータが保存されている。予め設定されたインフォテインメントデータは、例えばマルチメディアデータを含んでおり、それは例えばビデオデータである。基本的に、予め設定されたインフォテインメントデータは、オーディオデータを含んでいてもよい。例えば、予め設定されたインフォテインメントデータは、ナビゲーションアプリケーションに割り当てられていてもよく、それは例えば予め設定されたマップセクションやロードセクション（市街地セクション）を描写する。処理ユニットＨＵは、例えば少なくともひとつのグラフィックプロセッサを用いて、第１のデータフォーマットの予め設定されたインフォテインメントデータを、第２の非圧縮のデータフォーマットに変換し用意するように、形成されている。
【００２３】
処理ユニットＨＵは、データ接続部ＣＮＴを用いて、制御ユニットＣＴＲＬと連結されている。データ接続部ＣＮＴは、第２の非圧縮のデータフォーマットを、制御ユニットＣＴＲＬが自由に処理出来るように形成されている。その際、データ接続部ＣＮＴは、例えば、インフォテインメントデータを格別に高速の伝達速度、例えば５００から３０００ＭＢｉｔ／ｓで、少なくとも単方向で、例えば１２ｍまでの距離を渡り、制御ユニットＣＮＴまで伝達するように、形成されている。その際、データ接続部ＣＮＴは、インフォテインメントデータを、特には第２の非圧縮のデータフォーマットのビデオデータを、伝送するための一つ又は複数の通路を準備するように、形成されていてもよい。第２の非圧縮のデータフォーマットに加えて、圧縮された形態のデータを、制御ユニットＣＮＲＴと処理ユニットＨＵの間のデータ接続部ＣＮＴを用いて、伝達してもよい。また、データ接続部ＣＮＴは、第２の非圧縮のデータフォーマットの他に、例えばイーサネットプロトコルを用い制御データを処理ユニットＨＵと制御ユニットＣＮＲＴの間で双方向に伝達するように、形成されていてもよい。例えば、この制御データ通路を介して、ハンドシェイクデータ及び／又はステータスデータを制御データとして伝達してもよい。
【００２４】
処理ユニットＨＵは、類似して形成された更なる制御ユニットＣＮＲＴに連結されていてもよい。その際、個々の制御ユニットＣＮＲＴは、更なる個々のデータ接続部ＣＮＴを用いて、直接処理ユニットＨＵに連結させてもよい。しかしながらその代わりとして、いわゆるデイジーチェーンとしての直列接続という意味での、制御ユニットＣＮＲＴと処理ユニットＨＵの間の一つの連結、も可能である。
【００２５】
制御ユニットＣＮＲＴは、処理ユニットＨＵよって準備された第２の非圧縮のデータフォーマットのインフォテインメントデータを受信し、更なる予め設定されたインフォテインメントデータにして、好ましくは同様に第２の非圧縮のデータフォーマットで準備されたインフォテインメントデータと統合するように、形成されている。更なる予め設定されたインフォテインメントデータは、例えば、制御ユニットＣＴＲＬの少なくともひとつのメモリーに保存されていてもよい。その際、インフォテインメントデータの統合は、例えば、更なる予め設定されたインフォテインメントデータの処理ユニットＨＵにより準備されたインフォテインメントデータへの追加、或いは、その逆の追加、を含み得る。
【００２６】
制御ユニットＣＮＲＴ及び処理ユニットＨＵは更に、データコミュニケーションシステムＣＡＮ、例えばコントローラー−エリア−ネットワークシステムと、連結されていてもよく、これを用いて、制御データを伝送することも出来る。
【００２７】
図２には、３つの再生表示１−３が示されている。第１の再生表示１は、例えばナビゲーションアプリケーションに割り当てられており、これはロードセクション表示を示している。再生表示１は例えば、処理ユニットＨＵを用いて、第２の非圧縮のデータフォーマットの制御ユニットＣＮＲＴに準備されるインフォテインメントデータから、もたらされる。制御ユニットＣＮＲＴの、予め設定された別のインフォテインメントデータは、例えば、第２の再生表示２で図示されている機器表示、例えばスピードメーターやタコメーターの表示、を示す。その際、プリセットされた機器表示の領域を、例えばナビゲーションアプリケーションのために取り置くことが出来る。受信された、及び、予め設定された別のインフォテインメントデータの制御ユニットＣＮＲＴによる統合を手段として、機器表示のこのプリセットされ取り置かれた領域が、処理ユニットによって準備されたインフォテインメントデータによって占められる、そうして、第３の再生表示３が実現され、これは、全体表示又は混合表示として、機器表示と同様にロードセクション表示をも含んでいる。制御ユニットＣＮＲＴを用いたインフォテインメントデータの統合は、例えばレイヤリングプロセス又はテクスチャリングプロセスを用いて、行うことが出来る。
【符号の説明】
【００２８】
１−３    再生表示の例
ＣＡＮ    データコミュニケーションシステム
ＣＮＴ    データ接続部
ＣＮＲＴ  制御ユニット
ＤＳＰ１  表示ユニット
ＤＳＰ２  表示ユニット
ＦＢＡＳ  アナログ信号
ＨＵ      処理ユニット
Ｓ        インフォテインメントシステム
【図１】
2014504230.tif 000003
【図２】
2014504230.tif 000004
【国際調査報告】
2014504230.tif 000005
2014504230.tif 000006
2014504230.tif 000007
2014504230.tif 000008